(57)【要約】  複数の周波数帯域幅におけるビーム選択手続きにかかる負担を軽減することが可能な仕組みを提供する。複数の周波数帯域幅の各々において定義されるビーム群の設定を行う設定部（１５１）と、異なる前記周波数帯域幅において定義される前記ビーム群同士の共通性に関する情報を端末装置に通知する通知部（１５３）と、を備える通信装置。
2020031645.tif 000002
【特許請求の範囲】
【請求項１】
複数の周波数帯域幅の各々において定義されるビーム群の設定を行う設定部と、
異なる前記周波数帯域幅において定義される前記ビーム群同士の共通性に関する情報を端末装置に通知する通知部と、
を備える通信装置。
【請求項２】
前記共通性に関する情報は、複数の前記ビーム群の間でビームの方向に関する特性が共通するか否かを示す情報を含む、請求項１に記載の通信装置。
【請求項３】
前記共通性に関する情報は、第１の前記周波数帯域幅において定義される第１のビーム群に属するビームの方向と、第２の前記周波数帯域幅において定義される第２のビーム群に属するビームの方向との、少なくとも一部が共通することを示す情報を含む、請求項２に記載の通信装置。
【請求項４】
前記共通性に関する情報は、第１のビーム群のサブセットに属するビームの方向と第２の前記ビーム群に属するビームの方向とが共通することを示す情報を含む、請求項３に記載の通信装置。
【請求項５】
前記共通性に関する情報は、第１のビーム群についての測定結果に基づいて、第２のビーム群についての測定結果を報告するよう設定する情報を含む、請求項１に記載の通信装置。
【請求項６】
前記共通性に関する情報は、前記第１のビーム群及び前記第２のビーム群の各々の測定結果として報告する対象の、前記第１のビーム群に属するビームの範囲を示す情報を含む、請求項５に記載の通信装置。
【請求項７】
前記第１のビーム群は、複数のサブセットを含み、
前記共通性に関する情報は、前記第１のビーム群及び前記第２のビーム群の各々の測定結果として報告する対象の、前記第１のビーム群のサブセットの組み合わせを示す情報を含む、
請求項５に記載の通信装置。
【請求項８】
前記通信装置は、前記ビーム群を用いて測定用信号をビームスィーピング送信する測定信号送信部をさらに備える、請求項１に記載の通信装置。
【請求項９】
前記共通性に関する情報は、第３の前記周波数帯域幅において定義される第３のビーム群のサブセットについての測定結果と、前記第３のビーム群の他のサブセットに属するビームと方向が共通する、第４の前記周波数帯域幅において定義される第４のビーム群に属するビームについての測定結果とを、対応付けて報告するよう設定する情報を含む、請求項８に記載の通信装置。
【請求項１０】
前記設定部は、複数の前記周波数帯域幅の各々において定義されるアップリンクのビーム群の設定を行い、
前記共通性に関する情報は、複数の前記周波数帯域幅の各々において定義される複数の前記アップリンクのビーム群を用いた測定用信号のビームスィーピング送信を行うよう指示する情報を含む、
請求項１に記載の通信装置。
【請求項１１】
前記設定部は、複数の前記周波数帯域幅の各々において定義されるアップリンクのビーム群の設定を行い、
前記共通性に関する情報は、特定の前記周波数帯域幅において定義される前記アップリンクのビーム群を用いた測定用信号のビームスィーピング送信を行わないよう指示する情報を含む、
請求項１に記載の通信装置。
【請求項１２】
他の通信装置から通知された、複数の周波数帯域幅の各々において定義されるビーム群についての、異なる前記周波数帯域幅において定義される前記ビーム群同士の共通性に関する情報に基づいて、前記他の通信装置により前記ビーム群を用いてビームスィーピング送信された測定用信号を測定し、測定結果を報告する測定報告部、を備える通信装置。
【請求項１３】
前記測定報告部は、第１の前記周波数帯域幅において定義される第１のビーム群についての測定結果を、第２の前記周波数帯域幅において定義される第２のビーム群の測定結果として報告する、請求項１２に記載の通信装置。
【請求項１４】
前記測定報告部は、前記第１のビーム群のサブセットについての測定結果を、前記第２のビーム群の測定結果として報告する、請求項１３に記載の通信装置。
【請求項１５】
前記測定報告部は、第３の前記周波数帯域幅において定義される第３のビーム群のサブセットについての測定結果と、前記第３のビーム群の他のサブセットに属するビームと方向が共通する第４の前記周波数帯域幅において定義される第４のビーム群に属するビームについての測定結果とを、対応付けて報告する、請求項１２に記載の通信装置。
【請求項１６】
複数の前記周波数帯域幅の各々においてアップリンクのビーム群が定義され、
前記測定報告部は、複数の前記周波数帯域幅の各々において定義されるアップリンクのビーム群のうち、一部の前記アップリンクのビーム群を用いた測定用信号のビームスィーピング送信を行なわず、他の前記アップリンクのビーム群を用いた測定用信号のビームスィーピング送信を行う、
請求項１２に記載の通信装置。
【請求項１７】
複数の周波数帯域幅の各々において定義されるビーム群の設定を行うことと、
異なる前記周波数帯域幅において定義される前記ビーム群同士の共通性に関する情報を端末装置に通知することと、
を含む、プロセッサにより実行される通信方法。
【請求項１８】
他の通信装置から通知された、複数の周波数帯域幅の各々において定義されるビーム群についての、異なる前記周波数帯域幅において定義される前記ビーム群同士の共通性に関する情報に基づいて、前記他の通信装置により前記ビーム群を用いてビームスィーピング送信された測定用信号を測定し、測定結果を報告すること、を含む、プロセッサにより実行される通信方法。
【請求項１９】
コンピュータを、
複数の周波数帯域幅の各々において定義されるビーム群の設定を行う設定部と、
異なる前記周波数帯域幅において定義される前記ビーム群同士の共通性に関する情報を端末装置に通知する通知部と、
として機能させるためのプログラムが記録された記録媒体。
【請求項２０】
コンピュータを、
他の通信装置から通知された、複数の周波数帯域幅の各々において定義されるビーム群についての、異なる前記周波数帯域幅において定義される前記ビーム群同士の共通性に関する情報に基づいて、前記他の通信装置により前記ビーム群を用いてビームスィーピング送信された測定用信号を測定し、測定結果を報告する測定報告部、
として機能させるためのプログラムが記録された記録媒体。
【発明の詳細な説明】
【技術分野】
【０００１】
本開示は、通信装置、通信方法及び記録媒体に関する。
【背景技術】
【０００２】
セルラー移動通信の無線アクセス方式および無線ネットワーク（以下、「Long  Term  Evolution（LTE）」、「LTE-Advanced（LTE-A）」、「LTE-Advanced  Pro（LTE-A  Pro）」、「５Ｇ（第５世代）」「New  Radio（NR）」、「New  Radio  Access  Technology（NRAT）」、「Evolved  Universal  Terrestrial  Radio  Access（EUTRA）」、または「Further  EUTRA（FEUTRA）」とも称する。）が、第三世代パートナーシッププロジェクト（3rd  Generation  Partnership  Project:  3GPP）において検討されている。なお、以下の説明において、ＬＴＥは、LTE-A、LTE-A  Pro、およびEUTRAを含み、ＮＲは、NRAT、およびFEUTRAを含む。ＬＴＥおよびＮＲでは、基地局装置（基地局）はＬＴＥにおいてｅＮｏｄｅＢ（evolved  NodeB）およびＮＲにおいてｇＮｏｄｅＢとも称され、端末装置（移動局、移動局装置、端末）はＵＥ（User  Equipment）とも称される。ＬＴＥおよびＮＲは、基地局がカバーするエリアをセル状に複数配置するセルラー通信システムである。単一の基地局は複数のセルを管理してもよい。【０００３】
ＮＲでは、コンポーネントキャリア（Component  Carrier：ＣＣ）を複数の周波数帯域幅部分（Bandwidth  Part：ＢＷＰ）に分割して用いることができる。ＢＷＰに関し、下記特許文献１では、ＢＷＰごとにＰＭＩ（Precoding  Matrix  Indicator）をフィードバックする技術が開示されている。
【先行技術文献】
【特許文献】
【０００４】
【特許文献１】特開２０１２−４４３１６号公報
【発明の概要】
【発明が解決しようとする課題】
【０００５】
ＮＲでは、通信に用いるべき最適なビームの選択手続きにおいて、ビーム群に属する複数のビームの各々を用いて、測定用信号（既知信号）を送信する又は受信する、ビームスィーピングを行うことが検討されている。しかし、複数の周波数帯域幅（ＣＣ及び／又はＢＷＰ）が存在する環境において、複数の周波数帯域幅においてビーム選択手続きを実行することは、端末装置にとって負担である。【０００６】
そこで、本開示では、複数の周波数帯域幅におけるビーム選択手続きにかかる負担を軽減することが可能な仕組みを提供する。
【課題を解決するための手段】
【０００７】
本開示によれば、複数の周波数帯域幅の各々において定義されるビーム群の設定を行う設定部と、異なる前記周波数帯域幅において定義される前記ビーム群同士の共通性に関する情報を端末装置に通知する通知部と、を備える通信装置が提供される。【０００８】
また、本開示によれば、他の通信装置から通知された、複数の周波数帯域幅の各々において定義されるビーム群についての、異なる前記周波数帯域幅において定義される前記ビーム群同士の共通性に関する情報に基づいて、前記他の通信装置により前記ビーム群を用いてビームスィーピング送信された測定用信号を測定し、測定結果を報告する測定報告部、を備える通信装置が提供される。【０００９】
また、本開示によれば、複数の周波数帯域幅の各々において定義されるビーム群の設定を行うことと、異なる前記周波数帯域幅において定義される前記ビーム群同士の共通性に関する情報を端末装置に通知することと、を含む、プロセッサにより実行される通信方法が提供される。【００１０】
また、本開示によれば、他の通信装置から通知された、複数の周波数帯域幅の各々において定義されるビーム群についての、異なる前記周波数帯域幅において定義される前記ビーム群同士の共通性に関する情報に基づいて、前記他の通信装置により前記ビーム群を用いてビームスィーピング送信された測定用信号を測定し、測定結果を報告すること、を含む、プロセッサにより実行される通信方法が提供される。【００１１】
また、本開示によれば、コンピュータを、複数の周波数帯域幅の各々において定義されるビーム群の設定を行う設定部と、異なる前記周波数帯域幅において定義される前記ビーム群同士の共通性に関する情報を端末装置に通知する通知部と、として機能させるためのプログラムが記録された記録媒体が提供される。【００１２】
また、本開示によれば、コンピュータを、他の通信装置から通知された、複数の周波数帯域幅の各々において定義されるビーム群についての、異なる前記周波数帯域幅において定義される前記ビーム群同士の共通性に関する情報に基づいて、前記他の通信装置により前記ビーム群を用いてビームスィーピング送信された測定用信号を測定し、測定結果を報告する測定報告部、として機能させるためのプログラムが記録された記録媒体が提供される。
【発明の効果】
【００１３】
本開示によれば、複数の周波数帯域幅におけるビーム選択手続きにかかる負担を軽減することが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本開示の一実施形態に係るシステムの全体構成の一例を示す図である。
【図２】ＢＷＰについて説明するための図である。
【図３】ビームスィーピングについて説明するための図である。
【図４】基地局と端末装置とにより実行される典型的な測定報告処理の流れの一例を示すシーケンス図である。
【図５】同実施形態に係る基地局の構成の一例を示すブロック図である。
【図６】同実施形態に係る端末装置の構成の一例を示すブロック図である。
【図７】第１の実施形態に係る共通性情報の概要を説明するための図である。
【図８】ビーム群に属するビームの全部が共通する場合の具体例を説明するための図である。
【図９】同実施形態に係るシステムにより実行されるビーム選択処理の流れの一例を示すシーケンスである。
【図１０】ビーム群のサブセットが共通する場合の具体例を説明するための図である。
【図１１】同実施形態に係る共通性情報の一例を説明するための図である。
【図１２】同実施形態に係る共通性情報の一例を説明するための図である。
【図１３】第２の実施形態の技術的課題を説明するための図である。
【図１４】同実施形態に係る複数のビーム群を用いたビームスィーピングのリンケージの一例を説明するための図である。
【図１５】同実施形態に係るシステムにより実行されるビーム選択処理の流れの一例を示すシーケンスである。
【図１６】同実施形態に係る複数のビーム群を用いたビームスィーピングのリンケージの他の一例を説明するための図である。
【図１７】第３の実施形態に係るシステムにより実行されるビーム選択処理の流れの一例を示すシーケンスである。
【図１８】ｅＮＢの概略的な構成の第１の例を示すブロック図である。
【図１９】ｅＮＢの概略的な構成の第２の例を示すブロック図である。
【図２０】スマートフォンの概略的な構成の一例を示すブロック図である。
【図２１】カーナビゲーション装置の概略的な構成の一例を示すブロック図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．はじめに
１．１．システム構成
１．２．関連技術
１．３．技術的課題
１．４．提案技術の概要
２．構成例
２．１．基地局の構成例
２．２．端末装置の構成例
３．第１の実施形態
３．１．技術的課題
３．２．技術的特徴
４．第２の実施形態
４．１．技術的課題
４．２．技術的特徴
５．第３の実施形態
５．１．技術的課題
５．２．技術的特徴
６．応用例
７．まとめ
【００１７】
＜＜１．はじめに＞＞
＜１．１．システム構成＞
図１は、本開示の一実施形態に係るシステム１の全体構成の一例を示す図である。図１に示したように、システム１は、基地局１００（１００Ａ及び１００Ｂ）、端末装置２００（２００Ａ及び２００Ｂ）、コアネットワーク（Core  Network）２０、及びＰＤＮ（Packet  Data  Network）３０を含む。
【００１８】
基地局１００は、セル１１（１１Ａ及び１１Ｂ）を運用し、セル１１の内部に位置する１つ以上の端末装置へ無線サービスを提供する通信装置である。例えば、基地局１００Ａは、端末装置２００Ａに無線サービスを提供し、基地局１００Ｂは端末装置２００Ｂに無線サービスを提供する。セル１１は、例えばＬＴＥ又はＮＲ（New  Radio）等の任意の無線通信方式に従って運用され得る。基地局１００は、コアネットワーク２０に接続される。コアネットワーク２０は、ＰＤＮ３０に接続される。
【００１９】
コアネットワーク２０は、例えばＭＭＥ（Mobility  Management  Entity）、Ｓ−ＧＷ（Serving  gateway）、Ｐ−ＧＷ（PDN  gateway）、ＰＣＲＦ（Policy  and  Charging  Rule  Function）及びＨＳＳ（Home  Subscriber  Server）を含み得る。ＭＭＥは、制御プレーンの信号を取り扱う制御ノードであり、端末装置の移動状態を管理する。Ｓ−ＧＷは、ユーザプレーンの信号を取り扱う制御ノードであり、ユーザデータの転送経路を切り替えるゲートウェイ装置である。Ｐ−ＧＷは、ユーザプレーンの信号を取り扱う制御ノードであり、コアネットワーク２０とＰＤＮ３０との接続点となるゲートウェイ装置である。ＰＣＲＦは、ベアラに対するＱｏＳ（Quality  of  Service）等のポリシー及び課金に関する制御を行う制御ノードである。ＨＳＳは、加入者データを取り扱い、サービス制御を行う制御ノードである。
【００２０】
端末装置２００は、基地局１００による制御に基づいて基地局１００と無線通信する通信装置である。端末装置２００は、いわゆるユーザ端末（User  Equipment：ＵＥ）であってもよい。例えば、端末装置２００は、基地局１００にアップリンク信号を送信して、基地局１００からダウンリンク信号を受信する。
【００２１】
＜１．２．関連技術＞
（１）ＢＷＰ
図２は、ＢＷＰについて説明するための図である。図２に示すように、ＣＣ＃１は、複数のＢＷＰ（＃１及び＃２）を含み、ＣＣ＃２は、複数のＢＷＰ（＃１及び＃２）を含む。なお、本明細書において、＃の後の数字は、インデックスを示すものとする。異なるＣＣに含まれるＢＷＰは、インデックスが同一であっても、異なるＢＷＰを示している。ＢＷＰは、ひとつのオペレーション周波数帯域幅（operation  band  width）であるＣＣを複数の周波数帯域幅に分けたものである。各々のＢＷＰにおいては、異なるサブキャリア間隔（Subcarrier  spacing）を設定することができる。
【００２２】
３ＧＰＰ  Ｒｅｌ１５のＮＲの基本フレームフォーマットとして、このＢＷＰが規格化された。ＬＴＥについてＲｅｌ８で規格化されたＯＦＤＭ変調方式では、サブキャリア間隔は１５ｋＨｚに固定されていた。他方、Ｒｅｌ１５では、サブキャリア間隔を６０ｋＨｚ、１２０ｋＨｚ又は２４０ｋＨｚにすることが可能である。サブキャリア間隔が長くなると、その分ＯＦＤＭシンボル長が短くなる。例えば、ＬＴＥでは、サブキャリア間隔が１５ｋＨｚであるから、１ｍｓあたりに１スロット送信可能であり、換言すると、１４ＯＦＤＭシンボルを送信可能であった。他方、ＮＲでは、サブキャリア間隔が６０ｋＨｚである場合には２スロット、１２０ｋＨｚである場合には４スロット、２４０ｋＨｚである場合には８スロットを送信可能である。このように、サブキャリアを長くすることで、ＯＦＤＭシンボル長が短くなる。その分、低遅延通信に適したフレーム構成を提供することが可能となる。
【００２３】
ＮＲでは、異なるサブキャリア間隔が設定されたＢＷＰを同時に提供することができる。そのため、ＮＲでは、異なるユースケースに対応する、複数のＢＷＰを同時に提供することができる。
【００２４】
（２）アクティブＢＷＰの数
送受信を行うことが可能なＢＷＰは、アクティブＢＷＰとも称される。そして、同時に送受信を行うことが可能なＢＷＰの数は、アクティブＢＷＰの数とも称される。基地局１００のアクティブＢＷＰの数は複数である。他方、端末装置２００のアクティブＢＷＰの数は１つである場合がある。もちろん、アクティブＢＷＰの数が複数の端末装置２００も、将来的には登場すると考えられる。これらのシナリオを、下記の表１に示す。
【００２５】
【表１】
2020031645.tif 000003
【００２６】
なお、本開示にかかる技術は、端末装置２００のアクティブＢＷＰの数が１つの場合と複数の場合との双方において適用可能である。
【００２７】
（３）コードブックベースビームフォーミング
基地局１００は、ビームフォーミングを行って端末装置２００と通信することで、例えば通信品質を向上させることができる。ビームフォーミングの手法としては、端末装置２００に追従するようなビームを生成する手法と、候補のビームの中から端末装置２００に追従するようなビームを選択する手法とがある。前者の手法は、ビームを生成する度に計算コストがかかることから、将来の無線通信システム（例えば、５Ｇ）において採用されることは考えづらい。一方で、後者の手法は、３ＧＰＰ（Third  Generation  Partnership  Project）のリリース１３のＦＤ−ＭＩＭＯ（Full  Dimension  Multiple  Input  Multiple  Output）でも採用されている。後者の手法は、コードブックベースビームフォーミング（codebook  based  beam  forming）とも称される。
【００２８】
コードブックベースフォーミングでは、基地局１００は、あらゆる方向に向けたビームを事前に準備（即ち、生成）しておき、その事前に準備しておいたビームの中から対象の端末装置２００に適するビームを選択して、選択したビームを用いて端末装置２００と通信する。例えば、基地局１００は、水平方向の３６０度での通信が可能である場合、例えば１度刻みで３６０種類のビームを準備する。ビーム同士が半分重なるようにする場合、基地局１００は、７２０種類のビームを準備する。垂直方向に関しては、基地局１００は、例えば−９０度から＋９０度までの１８０度分のビームを準備する。
【００２９】
なお、端末装置２００は、ビームを観測するだけなので、基地局１００側のコードブックの存在を知っておく必要性は低い。
【００３０】
基地局１００が事前に準備しておいた複数のビームを、以下ではビーム群とも称する。ビーム群は、例えば、周波数帯域毎に定義され得る。また、ビーム群は、Ｒｘ／Ｔｘビームごとに、またダウンリンク／アップリンクごとに定義され得る。
【００３１】
（４）ビームスィーピング
ＮＲでは、通信に用いるべき最適なビームを選択するために、ビーム群に属する複数のビームの各々を用いて、測定用信号（既知信号）を送信する又は受信する、ビームスィーピングについて検討されている。測定用信号は、参照信号（Reference  Signal）とも称される場合がある。ビームスィーピングしながら送信された測定用信号の測定結果に基づいて、最適な送信用（以下、Ｔｘビームとも称する）を選択することができる。その一例を、図３を参照して説明する。
【００３２】
図３は、ビームスィーピングについて説明するための図である。図３に示した例では、基地局１００が、ビーム群４０を用いてビームスィーピングしながら（即ち、Ｔｘビームを切り替えながら）測定用信号を送信する。なお、ビームスィーピングしながら送信することを、以下ではビームスィーピング送信とも称する。そして、端末装置２００は、ビームスィーピング送信された測定用信号を測定し、どのＴｘビームが最も受信しやすいかを決定する。このようにして、基地局１００の最適なＴｘビームが選択される。なお、基地局１００と端末装置２００とを入れ替えて同様の手続きを実行することで、基地局１００は、端末装置２００の最適なＴｘビームを選択することができる。
【００３３】
他方、測定用信号をビームスィーピングしながら受信することで得た測定結果に基づいて、最適な受信用ビーム（以下、Ｒｘビームとも称される）を選択することもできる。例えば、端末装置２００が、測定用信号をアップリンクで送信する。そして、基地局１００は、ビームスィーピングしながら（即ち、Ｒｘビームを切り替えながら）測定用信号を受信し、どのＲｘビームが最も受信しやすいかを決定する。このようにして、基地局１００の最適なＲｘビームが選択される。なお、基地局１００と端末装置２００とを入れ替えて同様の手続きを実行することで、端末装置２００は、端末装置２００の最適なＲｘビームを選択することができる。また、ビームスィーピングしながら受信することを、以下ではビームスィーピング受信とも称する。
【００３４】
ビームスィーピング送信された測定用信号を受信及び測定する側は、測定結果を測定用信号の送信側に報告する。測定結果は、どのＴｘビームが最適かを示す情報を含む。最適なＴｘビームとは、例えば、受信電力が最も大きいＴｘビームである。測定結果は、受信電力が最も大きい１つのＴｘビームを示す情報を含んでいてもよいし、受信電力が大きい上位Ｋ個のＴｘビームを示す情報を含んでいてもよい。測定結果は、例えば、Ｔｘビームの識別情報（例えば、ビームのインデックス）、及びＴｘビームの受信電力の大きさを示す情報（例えば、ＲＳＲＰ(Reference  Signal  Received  Power)）を、対応付けて含む。
【００３５】
なお、Ｔｘビームの選択手続きにおいては、測定用信号がビーム群に属する複数のＴｘビームの各々を用いてビームスィーピング送信される。Ｔｘビームの各々は、測定用信号というリソースで識別される、とも言える。ビームを用いて送信された測定用信号は、ビームリソースとも称されてもよい。また、ビーム群を用いてビームスィーピング送信された測定用信号は、ビームリソース群とも称されてもよい。
【００３６】
＜１．３．技術的課題＞
ＮＲでは、複数の周波数帯域幅が存在する環境で通信サービスが提供されることが想定されている。そのような環境において、複数の周波数帯域幅においてビーム選択手続きを実行することは、端末装置にとって負担である。一例として、複数のＢＷＰが存在する環境下での、各々のＢＷＰにおけるビーム選択手続きの一例を、図４を参照して説明する。
【００３７】
図４は、基地局と端末装置とにより実行される典型的な測定報告処理の流れの一例を示すシーケンス図である。図４に示すように、基地局は、ＢＷＰ＃１において、ＢＷＰ＃１用のビーム群＃１を用いて測定用信号をビームスィーピング送信する（ステップＳ１２）。次いで、端末装置は、ＢＷＰ＃１においてビーム群＃１を用いてビームスィーピング送信された測定用信号の測定を行い、測定結果を基地局に報告する（ステップＳ１４）。次に、基地局は、ＢＷＰ＃２において、ＢＷＰ＃２用のビーム群＃２を用いて測定用信号をビームスィーピング送信する（ステップＳ１６）。次いで、端末装置は、ＢＷＰ＃２においてビーム群＃２を用いてビームスィーピング送信された測定用信号の測定を行い、測定結果を基地局に報告する（ステップＳ１８）。
【００３８】
このような、周波数帯域幅毎のビーム選択手続きの実行は端末装置にとって負担であるので、かかる負担が軽減されることが望ましい。
【００３９】
＜１．４．提案技術の概要＞
提案技術では、異なる周波数帯域幅（ＣＣ及び／又はＢＷＰ）において定義されるビーム群同士の共通性に関する情報が端末装置２００に提供される。端末装置２００は、提供された共通性に関する情報に基づいて、複数のビーム群の共通部分に関しては、測定結果を共通化（例えば、流用）する。これにより、複数のＣＣ及び／又は複数のＢＷＰが存在する環境下でのビーム選択手続きにおいて、端末装置２００にかかる負担を軽減することが可能となる。
【００４０】
提案技術に一見類似するとも思える技術として、ＴＳ３８．２１４では、異なるリファレンス信号が同じ基地局から送信されたと見なされてよいか否かを示す情報を、基地局が送信することが規定されている。より詳しくは、アンテナポート＃０とアンテナポート＃１とが同じ方向のビームを送信するか否かを示す情報を、基地局が送信することが規定されている。しかし、かかる情報は、あくまでアンテナポート間のビームの関係を示すものであり、提案技術のように、異なるＢＷＰ間又は異なるＣＣ間のビームの関係を示す情報ではない。また、ＴＳ３８．２１４で規定された情報は、ビームの一つ一つを対象とした情報であり、提案技術のように、ビーム群を対象とした情報ではない。
【００４１】
＜＜２．構成例＞＞
＜２．１．基地局の構成例＞
図５は、本実施形態に係る基地局１００の構成の一例を示すブロック図である。図５を参照すると、基地局１００は、アンテナ部１１０、無線通信部１２０、ネットワーク通信部１３０、記憶部１４０及び制御部１５０を備える。
【００４２】
（１）アンテナ部１１０
アンテナ部１１０は、無線通信部１２０により出力される信号を電波として空間に放射する。また、アンテナ部１１０は、空間の電波を信号に変換し、当該信号を無線通信部１２０へ出力する。
【００４３】
とりわけ、本実施形態では、アンテナ部１１０は、複数のアンテナ素子を有し、ビームを形成することが可能である。
【００４４】
（２）無線通信部１２０
無線通信部１２０は、信号を送受信する。例えば、無線通信部１２０は、端末装置へのダウンリンク信号を送信し、端末装置からのアップリンク信号を受信する。
【００４５】
とりわけ、本実施形態では、無線通信部１２０は、アンテナ部１１０により複数のビームを形成して端末装置と通信することが可能である。
【００４６】
（３）ネットワーク通信部１３０
ネットワーク通信部１３０は、情報を送受信する。例えば、ネットワーク通信部１３０は、他のノードへの情報を送信し、他のノードからの情報を受信する。例えば、上記他のノードは、他の基地局及びコアネットワークノードを含む。
【００４７】
（４）記憶部１４０
記憶部１４０は、基地局１００の動作のためのプログラム及び様々なデータを一時的に又は恒久的に記憶する。
【００４８】
（５）制御部１５０
制御部１５０は、基地局１００全体の動作を制御して、基地局１００の様々な機能を提供する。制御部１５０は、設定部１５１、通知部１５３、測定用信号送信部１５５、及び共通性評価部１５７を含む。
【００４９】
設定部１５１は、端末装置２００との通信に関する設定を行う機能を有する。例えば、設定部１５１は、後述するリソースコンフィギュレーションを行い、リソースコンフィギュレーション結果を示すリソースコンフィギュレーション情報を、端末装置２００に送信する。
【００５０】
通知部１５３は、後述する共通性情報を端末装置２００に通知する機能を有する。例えば、通知部１５３は、ダウンリンクのビーム群同士のビームの方向の関係を示す情報、及び／又は測定報告の設定情報を通知する。また、例えば、通知部１５３は、複数のビーム群を用いたビームスィーピングのリンケージに関する情報を通知する。また、例えば、通知部１５３は、アップリンクのビーム群同士の共通性を評価するための指示、及びビームスィーピングの対象とすべきアップリンクのビーム群を指定する情報を通知する。
【００５１】
測定用信号送信部１５５は、ダウンリンクで測定用信号を送信する機能を有する。詳しくは、測定用信号送信部１５５は、複数の周波数帯域幅の各々において、周波数帯域幅ごとに定義されるビーム群を用いて測定用信号をビームスィーピング送信する。
【００５２】
共通性評価部１５７は、アップリンクのビーム群同士の共通性を評価する機能を有する。詳しくは、共通性評価部１５７は、複数の周波数帯域幅の各々において、周波数帯域幅ごとに定義されるビーム群を用いて端末装置２００がビームスィーピング送信した測定用信号を測定し、測定結果に基づいて共通性を評価する。
【００５３】
制御部１５０は、これらの構成要素以外の他の構成要素をさらに含み得る。即ち、制御部１５０は、これらの構成要素の動作以外の動作も行い得る。
【００５４】
＜２．２．端末装置の構成例＞
図６は、本実施形態に係る端末装置２００の構成の一例を示すブロック図である。図６を参照すると、端末装置２００は、アンテナ部２１０、無線通信部２２０、記憶部２３０及び制御部２４０を備える。
【００５５】
（１）アンテナ部２１０
アンテナ部２１０は、無線通信部２２０により出力される信号を電波として空間に放射する。また、アンテナ部２１０は、空間の電波を信号に変換し、当該信号を無線通信部２２０へ出力する。
【００５６】
とりわけ、本実施形態では、アンテナ部２１０は、複数のアンテナ素子を有し、ビームを形成することが可能である。
【００５７】
（２）無線通信部２２０
無線通信部２２０は、信号を送受信する。例えば、無線通信部２２０は、基地局からのダウンリンク信号を受信し、基地局へのアップリンク信号を送信する。
【００５８】
とりわけ、本実施形態では、無線通信部２２０は、アンテナ部２１０により複数のビームを形成して基地局と通信することが可能である。
【００５９】
（３）記憶部２３０
記憶部２３０は、端末装置２００の動作のためのプログラム及び様々なデータを一時的に又は恒久的に記憶する。
【００６０】
（４）制御部２４０
制御部２４０は、端末装置２００全体の動作を制御して、端末装置２００の様々な機能を提供する。制御部２４０は、測定報告部２４１及び測定用信号送信部２４３を含む。
【００６１】
測定報告部２４１は、基地局１００から送信された測定用信号を測定し、測定結果を基地局１００に報告する機能を有する。詳しくは、測定報告部２４１は、基地局１００から通知された共通性情報に基づいて、基地局１００がビームスィーピング送信した測定用信号を測定し、測定結果を基地局１００に報告する。
【００６２】
測定用信号送信部２４３は、アップリンクで測定用信号を送信する機能を有する。詳しくは、測定用信号送信部２４３は、複数の周波数帯域幅の各々において、周波数帯域幅ごとに定義されるビーム群を用いて測定用信号をビームスィーピング送信する。
【００６３】
制御部２４０は、これらの構成要素以外の他の構成要素をさらに含み得る。即ち、制御部２４０は、これらの構成要素の動作以外の動作も行い得る。
【００６４】
＜＜３．第１の実施形態＞＞
本実施形態は、ある周波数帯域幅において定義されるビーム群を用いてビームスィーピング送信された測定用信号の測定結果が、他の周波数帯域幅において定義されるビーム群を用いてビームスィーピング送信された測定用信号の測定結果として用いられる形態である。
【００６５】
＜３．１．技術的課題＞
本実施形態の技術的課題は、上記説明した通りである。詳しくは、複数の周波数帯域幅が存在する環境において、複数の周波数帯域幅においてビーム選択手続きを実行することは、端末装置にとって負担である。ビーム選択手続きの実行回数が増えるほど、計算量が増加し、それに伴い電力消費量が増加するためである。さらには、全ての周波数帯域幅において、ビームスィーピングのための無線リソースを用意することとなるので、無線リソースのオーバーヘッドも増加する。
【００６６】
そこで、複数の周波数帯域幅におけるビーム選択手続きの少なくとも一部が、共通化されることが望ましい。
【００６７】
＜３．２．技術的特徴＞
基地局１００（例えば、設定部１５１）は、複数の周波数帯域幅の各々において定義されるビーム群の設定を行う。例えば、基地局１００は、複数の周波数帯域幅の各々において定義されるビーム群のためのリソースコンフィギュレーションを行う。リソースコンフィギュレーションは、周波数帯域幅ごとに、ビーム群を用いた測定用信号のビームスィーピング送信に用いられる無線リソース（例えば、周波数リソース及び／又は時間リソース）を設定することを含む。また、リソースコンフィギュレーションは、ビーム群に属する複数のビームの各々と、そのビームを用いて送信される測定用信号とを対応付けることも含み得る。
【００６８】
基地局１００（例えば、設定部１５１）は、リソースコンフィギュレーションの結果を示すリソースコンフィギュレーション情報を、端末装置２００に送信する。例えば、リソースコンフィギュレーション情報は、ビーム群を用いた測定用信号のビームスィーピング送信に用いられる無線リソースを示す情報を少なくとも含み得る。また、リソースコンフィギュレーション情報は、周波数帯域幅と当該周波数帯域幅において定義されるビーム群とを対応付ける情報を含み得る。また、リソースコンフィギュレーション情報は、ビーム群ごとに、ビーム群に属する複数のビームの各々、そのビームを用いて送信される測定用信号、及び当該測定用信号の送信に用いられる無線リソースを対応付ける情報を含み得る。
【００６９】
基地局１００（例えば、通知部１５３）は、異なる周波数帯域幅において定義されるビーム群同士の共通性に関する情報を端末装置２００に通知する。ビーム群同士の共通性に関する情報を、以下では共通性情報とも称する。共通性情報の通知には、上位層のシグナリング（Higher  layer  signaling）、システム情報、ＤＣＩ（Downlink  Control  Information）、又は専用シグナリング（dedicated  signaling）が用いられ得る。
【００７０】
なお、本実施形態の技術的特徴は、第１の周波数帯域幅に相当において定義される第１のビーム群と、第２の周波数帯域幅において定義される第２のビーム群とを用いて説明される。第１の周波数帯域幅はＢＷＰ＃１とも称され、第１のビーム群はビーム群＃１とも称され、第２の周波数帯域幅はＢＷＰ＃２とも称され、第２のビーム群はビーム群＃２とも称される。ビーム群＃１とビーム群＃２とでビームの方向が共通する場合、ビーム群＃１についての測定が行われ、ビーム群＃２についての測定の少なくとも一部が省略されるものとする。
【００７１】
以下、図７を参照しながら、本実施形態に係る共通性情報の概要について説明する。
【００７２】
図７は、本実施形態に係る共通性情報の概要を説明するための図である。図７に示すように、基地局１００は、ＢＷＰ＃１において定義されたビーム群＃１としてビーム群４０Ａを送信可能であり、ＢＷＰ＃２において定義されたビーム群＃２としてビーム群４０Ｂを送信可能である。ビーム群＃１とビーム群＃２とでは、ビームの方向が一致する場合がある。例えば、図７に示すように、ビーム群＃１に属するビーム＃ｉの方向とビーム群＃２に属するビーム＃ｊの方向とが一致している。
【００７３】
共通性情報は、ビーム群同士のビームの方向の関係を示す情報を含み得る。図７に示した例では、共通性情報は、ビーム＃ｉの方向とビーム＃ｊの方向とが共通していることを示す情報を含み得る。かかる情報が端末装置２００に提供されることで、端末装置２００は、ビーム＃ｉ及びビーム＃ｊの一方の測定結果を、他方の測定結果に代えて用いることができる。換言すると、端末装置２００は、ビーム＃ｉ及びビーム＃ｊの一方を測定し、他方の測定を省略することができる。これにより、端末装置２００の負荷が軽減される。
【００７４】
共通性情報は、測定報告の設定情報を含み得る。図７に示した例では、共通性情報は、ビーム＃ｉ及びビーム＃ｊの一方の測定結果を、他方の測定結果に代えて報告するよう設定する情報を含む。かかる情報が端末装置２００に提供されることで、端末装置２００は、ビーム＃ｉ及びビーム＃ｊの一方の測定結果を、他方の測定結果に代えて用いることができる。換言すると、端末装置２００は、ビーム＃ｉ及びビーム＃ｊの一方を測定し、他方の測定を省略することができる。これにより、端末装置２００の負荷が軽減される。
【００７５】
このように、本実施形態によれば、複数の周波数帯域幅におけるビーム選択手続きの少なくとも一部が共通化されて、端末装置２００の負荷が軽減される。以下、共通性情報が、ビーム群同士のビームの方向の関係を示す情報を含む場合、及び測定報告の設定情報を含む場合について、順に詳しく説明する。
【００７６】
（１）ビーム群同士のビームの方向の関係を示す情報
共通性情報は、ビーム群同士のビームの方向（即ち、指向性）の関係を示す情報を含み得る。詳しくは、共通性情報は、異なる周波数帯域幅において定義される複数のビーム群の間でビームの方向に関する特性が共通するか否かを示す情報を含み得る。例えば、共通性情報は、ビーム群＃１に属するビームの方向と、ビーム群＃２に属するビームの方向との、少なくとも一部が共通することを示す情報を含み得る。なお、複数のビームの方向が共通することは、複数のビームの方向が同一であることを意味する。また、複数のビームの方向が共通することは、これら複数のビームが同じ方向に送信されるように、基地局１００のアナログ回路のキャリブレーションが済んだ状態であることを意味する。
【００７７】
・ビーム群に属するビームの全部が共通する場合
共通性情報は、ビーム群＃１に属するビームの方向（即ち、指向性）と、ビーム群＃２に属するビームの方向との、全部が共通することを示す情報を含む。例えば、共通性情報は、ビーム群＃１の識別情報及びビーム群＃２の識別情報、並びにビーム群＃１とビーム群＃２とでビームの方向が共通することを示す情報を含む。なお、ビーム群の識別情報とは、ビーム群のインデックス（例えば、ビーム群ＩＤ）、ビーム群に属するビームのインデックス（例えば、ビームＩＤ）、ビーム群を用いてビームスィーピング送信される測定用信号の識別情報、又はビーム群を用いたビームスィーピング送信のための無線リソースを示す情報である。
【００７８】
図８は、ビーム群に属するビームの全部が共通する場合の具体例を説明するための図である。図８に示すように、基地局１００は、ビーム群＃１としてビーム群４０Ａを送信可能であり、ビーム群＃２としてビーム群４０Ｂを送信可能である。ビーム群＃１及びビーム群＃２が、以下に示すビームをそれぞれ含む。
ビーム群＃１：
ビーム＃１，ビーム＃２，…，ビーム＃１０
ビーム群＃２：
ビーム＃１，ビーム＃２，…，ビーム＃１０
【００７９】
ここで、インデックスが同一のビーム同士は、指向性が共通するものとする。なお、図８に示した具体例を、第１の具体例とも称する。
【００８０】
第１の具体例では、ビーム群＃１に属するビームの指向性と及びビーム群＃２に属するビームの指向性は共通する。よって、共通性情報は、ビーム群＃１に属するビームの方向と、ビーム群＃２に属するビームの方向とが、共通することを示す情報を含む。
【００８１】
端末装置２００（例えば、測定報告部２４１）は、基地局１００から通知された共通性情報に基づいて、基地局１００によりビーム群を用いてビームスィーピング送信された測定用信号を測定し、測定結果を報告する。詳しくは、端末装置２００は、基地局１００から通知された共通性情報に基づいて、基地局１００による測定用信号のビームスィーピング送信に用いられ得る複数のビーム群のうち、どのビーム群を測定対象とするかを選択する。そして、端末装置２００は、測定対象となったビーム群について測定し、測定対象外のビーム群については測定しない。端末装置２００は、測定対象となったビーム群についての測定結果を、測定対象外のビーム群についての測定結果に代えて、基地局１００に報告する。
【００８２】
例えば、端末装置２００は、ビーム群＃１についての測定結果を、ビーム群＃２の測定結果として報告する。第１の具体例においては、端末装置２００は、ビーム群＃１を用いてビームスィーピング送信された測定用信号の測定結果を、ビーム群＃２を用いてビームスィーピング送信された測定用信号の測定結果に代えて、基地局１００に報告する。端末装置２００は、ビーム群＃２を用いてビームスィーピング送信された測定用信号を、測定しなくてもよい。その場合、端末装置２００は、ビーム群＃２に関する測定を省略することができ、負担が軽減される。
【００８３】
以下、図８を参照しながら説明した第１の具体例におけるビーム選択処理の流れの一例を、図９を参照しながら説明する。
【００８４】
図９は、本実施形態に係るシステム１により実行されるビーム選択処理の流れの一例を示すシーケンスである。図９に示すように、本シーケンスには、基地局１００及び端末装置２００が関与する。まず、基地局１００は、ビーム群＃１のためのリソースコンフィギュレーション情報を、端末装置２００に送信する（ステップＳ１０２）。また、基地局１００は、ビーム群＃２のためのリソースコンフィギュレーションを、端末装置２００に送信する（ステップＳ１０４）。次いで、基地局１００は、ビーム群＃１に属するビームの方向とビーム群＃２に属するビームの方向とが共通することを示す情報を含む共通性情報を、端末装置２００に送信する（ステップＳ１０６）。
【００８５】
そして、端末装置２００は、ビーム群＃１についての測定結果に基づいてビーム群＃１及び＃２についての測定結果の報告を行うことを、受信した共通性情報に基づいて決定する（ステップＳ１０８）。次いで、基地局１００は、ＢＷＰ＃１において、ビーム群＃１を用いて測定用信号をビームスィーピング送信する（ステップＳ１１０）。次に、端末装置２００は、ＢＷＰ＃１においてビーム群＃１を用いてビームスィーピング送信された測定用信号の測定を行い、測定結果を基地局１００に報告する（ステップＳ１１２）。次いで、基地局１００は、ＢＷＰ＃２において、ビーム群＃２を用いて測定用信号をビームスィーピング送信する（ステップＳ１１４）。次に、端末装置２００は、ＢＷＰ＃１においてビーム群＃１を用いてビームスィーピング送信された測定用信号の測定結果を、ビーム群＃２についての測定結果として基地局１００に報告する（ステップＳ１１６）。
【００８６】
ここで、基地局１００は、複数のビーム群に属するビームのうち、他のビーム群に属するビームと共通するビームを用いた測定用信号の送信を省略してもよい。具体的には、基地局１００は、ステップＳ１１４における処理を省略してもよい。この場合、ＢＷＰ＃２における測定用信号のビームスィーピング送信のための無線リソースを解放することができ、リソース効率を向上させることが可能となる。
【００８７】
・ビーム群のサブセットが共通する場合
ビーム群＃１のサブセットに属するビームの方向と、ビーム群＃２に属するビームの方向とが、共通する場合がある。その場合、共通性情報は、ビーム群＃１に属するビームの方向と、ビーム群＃２に属するビームの方向との、一部が共通することを示す情報を含む。詳しくは、共通性情報は、ビーム群＃１のサブセットに属するビームの方向とビーム群＃２に属するビームの方向とが共通することを示す情報を含む。例えば、共通性情報は、ビーム群＃１の識別情報及びビーム群＃２の識別情報、並びにビーム群＃２とビームの方向が共通するビーム群＃１のサブセットを示す情報を含み得る。
【００８８】
なお、ビーム群＃１のサブセットとビーム群＃２のサブセットとで、ビームの方向が共通していてもよい。その場合、共通性情報は、ビーム群＃１のサブセットとビーム群＃２のサブセットとでビームの方向が共通することを示す情報を含む。例えば、共通性情報は、ビーム群＃１の識別情報及びビーム群＃２の識別情報、並びに、ビームの方向が共通するビーム群＃１のサブセット及びビーム群＃２のサブセットを示す情報を含み得る。
【００８９】
図１０は、ビーム群のサブセットが共通する場合の具体例を説明するための図である。図１０に示すように、基地局１００は、ビーム群＃１としてビーム群４０Ａを送信可能であり、ビーム群＃２としてビーム群４０Ｂを送信可能である。例えば、ビーム群＃１及びビーム群＃２は、以下に示すビームをそれぞれ含む。
ビーム群＃１：
ビーム＃１，ビーム＃２，…，ビーム＃５，…，ビーム＃１０
ビーム群＃２：
ビーム＃１，ビーム＃２，…，ビーム＃５
【００９０】
ここで、インデックスが同一のビーム同士は、指向性が共通するものとする。なお、図１０に示した具体例を、以下では第２の具体例とも称する。
【００９１】
第２の具体例では、ビーム群＃１のサブセットに属するビーム＃１〜＃５の方向と、ビーム群＃２に属するビーム＃１〜＃５の方向とは、共通する。よって、共通性情報は、ビーム群＃１のサブセットに属するビームの方向と、ビーム群＃２に属するビームの方向とが、共通することを示す情報を含む。
【００９２】
端末装置２００（例えば、測定報告部２４１）は、基地局１００から通知された共通性情報に基づいて、基地局１００による測定用信号のビームスィーピング送信に用いられ得る複数のビーム群のうち、どのビーム群を測定対象とするかを選択する。さらに、端末装置２００は、測定対象とするビーム群のどのサブセットについての測定結果を、測定対象とならなかったビーム群についての測定結果に代えて報告するかを特定する。端末装置２００は、測定対象となったビーム群のうち特定したサブセットについての測定結果を、測定対象外のビーム群についての測定結果に代えて、基地局１００に報告する。
【００９３】
例えば、端末装置２００は、ビーム群＃１のサブセットについての測定結果を、ビーム群＃２の測定結果として報告する。第２の具体例においては、端末装置２００は、ビーム群＃１に属するビーム＃１〜＃５を用いてビームスィーピング送信された測定用信号の測定結果を、ビーム群＃２を用いてビームスィーピング送信された測定用信号の測定結果に代えて、基地局１００に報告する。例えば、ビーム群＃１を測定した結果、ビーム＃１〜＃１０ではビーム＃８の受信電力が最も高く、ビーム＃１〜＃５ではビーム＃５の受信電力が最も高いものとする。この場合、端末装置２００は、ビーム群＃１についての測定結果としてビーム＃８が最適であることを報告し、ビーム群＃２についての測定結果としてビーム＃５が最適であることを報告する。端末装置２００は、ビーム群＃２を用いてビームスィーピング送信された測定用信号を、測定しなくてもよい。その場合、端末装置２００は、ビーム群＃２に関する測定を省略することができ、負担が軽減される。
【００９４】
（２）測定報告の設定情報
共通性情報は、測定報告の設定情報を含み得る。詳しくは、共通性情報は、ビーム群＃１についての測定結果に基づいて、ビーム群＃２についての測定結果を報告するよう設定する情報を含み得る。この場合、端末装置２００は、ビーム群＃２についての測定を省略することができ、負担が軽減される。以下、この点について詳しく説明する。
【００９５】
・ビーム群に属するビームの全部が共通する場合
ビーム群＃１に属するビームの方向と、ビーム群＃２に属するビームの方向との、全部が共通する場合、共通性情報は、ビーム群＃２についての測定結果として、ビーム群＃１についての測定結果を報告するよう設定する情報を含み得る。端末装置２００（例えば、測定報告部２４１）は、基地局１００から通知された共通性情報に基づいて、ビーム群＃１についての測定結果を報告する。基地局１００は、ビーム群＃１についての測定結果を、ビーム群＃２の測定結果として取り扱う。端末装置２００は、ビーム群＃２についての測定を省略することができ、負担が軽減される。また、端末装置２００は、そもそもビーム群＃２についての設定を受けずに済む。
【００９６】
・ビーム群のサブセットが共通する場合
−第１の例
ビーム群＃１のサブセットに属するビームの方向とビーム群＃２に属するビームの方向とが共通する場合、共通性情報は、ビーム群＃１及びビーム群＃２の各々の測定結果として報告する対象の、ビーム群＃１に属するビームの範囲を示す情報を含み得る。とりわけ、共通性情報は、ビーム群＃２についての測定結果として報告する対象の、ビーム群＃１に属するビームの範囲を示す情報を含み得る。ビーム群＃１に属するビームの範囲は、ビーム群＃１のサブセットとして捉えられてもよい。
【００９７】
端末装置２００（例えば、測定報告部２４１）は、基地局１００から通知された共通性情報に基づいて、ビーム群＃１のサブセットについての測定結果を報告する。例えば、端末装置２００は、ビーム群＃１についての測定結果として、ビーム群＃１に属する全てのビームについての測定結果を報告する。また、端末装置２００は、ビーム群＃２についての測定結果として、ビーム群＃１に属するビームのうち、共通性情報により指定された範囲のビームについての測定結果を報告する。このように、端末装置２００は、ビーム群＃２についての測定を省略することができ、負担が軽減される。また、端末装置２００は、そもそもビーム群＃２についての設定を受けずに済む。以下、この点について図１１を参照しながら具体的に説明する。
【００９８】
図１１は、本実施形態に係る共通性情報の一例を説明するための図である。図１１を参照しながら、上記第２の具体例における測定報告の設定情報の第１の例を説明する。図１１に示すように、ＢＷＰ＃１用のビーム群＃１は、ビーム＃１〜＃１０を含む。そして、ビーム群＃１についての報告対象の範囲は、ビーム＃１〜＃１０である。他方、ビーム群＃２についての報告対象の範囲がビーム＃１〜＃５である。
【００９９】
共通性情報は、ビーム群＃１についての報告対象の範囲がビーム＃１〜＃１０であることを示す、測定報告の設定情報を含む。例えば、基地局１００は、ビーム群＃１についての測定結果として、ビーム群＃１のうちビーム＃１〜＃１０でＲＳＲＰが最大のビームを報告するよう設定する情報を、端末装置２００に通知する。かかる通知に基づき、端末装置２００は、ビーム群＃１のうちビーム＃１〜＃１０でＲＳＲＰが最大のビームを示す情報を、ビーム群＃１についての測定結果として基地局１００に報告する。
【０１００】
また、共通性情報は、ビーム群＃２についての報告対象の範囲がビーム＃１〜＃５であることを示す、測定報告の設定情報を含む。例えば、基地局１００は、ビーム群＃２についての測定結果として、ビーム群＃１のうち、ビーム＃１〜＃５でＲＳＲＰが最大のビームを報告するよう設定する情報を、端末装置２００に通知する。かかる通知に基づき、端末装置２００は、ビーム群＃１のうちビーム＃１〜＃５でＲＳＲＰが最大のビームを示す情報を、ビーム群＃２についての測定結果として基地局１００に報告する。
【０１０１】
この場合、基地局１００は、測定報告の設定のみ行えばよく、ビーム群同士のビームの方向の関係を示す情報を通知する必要がない。
【０１０２】
−第２の例
ビーム群＃１のサブセットに属するビームの方向とビーム群＃２に属するビームの方向とが共通する場合、共通性情報は、ビーム群＃１及びビーム群＃２の各々の測定結果として報告する対象の、ビーム群＃１のサブセットの組み合わせを示す情報を含み得る。例えば、ビーム群＃１は、複数のサブセットを含むものとする。その場合、共通性情報は、ビーム群＃１についての測定結果として報告する対象のサブセットの組み合わせ、即ちビーム群＃１のすべてのサブセットを含む組み合わせを示す情報を含む。また、共通性情報は、ビーム群＃２についての測定結果として報告する対象のサブセットの組み合わせ、即ち、ビーム群＃２とビームの方向が共通するビーム群＃１のサブセットの組み合わせを示す情報を含む。
【０１０３】
端末装置２００（例えば、測定報告部２４１）は、基地局１００から通知された共通性情報に基づいて、ビーム群＃１のサブセットについての測定結果を報告する。例えば、端末装置２００は、ビーム群＃１についての測定結果として、ビーム群＃１に属する全てのサブセットを含む組み合わせについての測定結果を報告する。また、端末装置２００は、ビーム群＃２についての測定結果として、ビーム群＃２とビームの方向が共通するビーム群＃１のサブセットの組み合わせについての測定結果を報告する。このように、端末装置２００は、ビーム群＃２についての測定を省略することができ、負担が軽減される。また、端末装置２００は、そもそもビーム群＃２についての設定を受けずに済む。以下、この点について図１２を参照しながら具体的に説明する。
【０１０４】
図１２は、本実施形態に係る共通性情報の一例を説明するための図である。図１２を参照しながら、上記第２の具体例における測定報告の設定情報の第２の例を説明する。図１２に示すように、ＢＷＰ＃１用のビーム群＃１は、ビーム＃１〜＃１０を含む。また、ＢＷＰ＃１用のビーム群＃１は、ビーム＃１〜＃５を含むサブセット＃１、及びビーム＃６〜＃１０を含むサブセット＃２を含む。そして、ビーム群＃１についての報告対象はサブセット＃１及び＃２の組み合わせである。他方、ビーム群＃２についての報告対象はサブセット＃１である。
【０１０５】
共通性情報は、ビーム群＃１についての報告対象をサブセット＃１及び＃２の組み合わせとする、測定報告の設定情報を含む。例えば、基地局１００は、ビーム群＃１についての測定結果として、ビーム群＃１のサブセット＃１及び＃２でＲＳＲＰが最大のビームを報告するよう設定する情報を、端末装置２００に通知する。そして、端末装置２００は、ビーム群＃１のうちサブセット＃１及び＃２の組み合わせに属するビーム＃１〜＃１０でＲＳＲＰが最大のビームを示す情報を、ビーム群＃１についての測定結果として基地局１００に報告する。
【０１０６】
他方、共通性情報は、ビーム群＃２についての報告対象をサブセット＃１とする、測定報告の設定情報を含む。例えば、基地局１００は、ビーム群＃２についての測定結果として、ビーム群＃１のサブセット＃１でＲＳＲＰが最大のビームを報告するよう設定する情報を、端末装置２００に通知する。そして、端末装置２００は、ビーム群＃１のうちサブセット＃１に属するビーム＃１〜＃５でＲＳＲＰが最大のビームを示す情報を、ビーム群＃２についての測定結果として基地局１００に報告する。
【０１０７】
・補足
なお、共通性情報が測定報告の設定情報を含む場合の処理の流れは、図９を参照しながら説明した処理の流れと同様である。ただし、ステップＳ１０６において送信される共通性情報は、ビーム群＃１についての測定結果に基づいて、ビーム群＃２についての測定結果を報告するよう設定する情報を含む。
【０１０８】
＜＜４．第２の実施形態＞＞
本実施形態は、使用する周波数帯域幅を切り替えながら、複数の周波数帯域幅に渡ってビームスィーピングが行われる形態である。
【０１０９】
＜４．１．技術的課題＞
複数の周波数帯域幅が設定されている端末装置２００であっても、同時に使用可能な周波数帯域幅の数が端末装置２００の能力に起因して制限されている場合がある。例えば、端末装置２００が同時に使用可能な周波数帯域幅の数が１つである場合がある。その場合、端末装置２００は、使用する周波数帯域幅を切り替えることで、複数の周波数帯域幅において信号を送受信することができる。ビーム選択手続きも同様に、使用する周波数帯域幅を切り替えながら実行され得る。この点について、図１３を参照して説明する。
【０１１０】
図１３は、本実施形態の技術的課題を説明するための図である。図１３に示すように、ＢＷＰ＃３がアクティブな時間帯においてビームスィーピングが行われ、次いでＢＷＰ＃４がアクティブな時間帯においてビームスィーピングが行われる。しかしながら、アクティブなＢＷＰが頻繁に切り替えられる場合、１つのＢＷＰがアクティブな時間内に、ビームスィーピングを完了することが困難な場合がある。なお、図１３で示したビームスィーピングの方式は、３ＧＰＰ  Ｒｅｌ１５で実現されている。
【０１１１】
＜４．２．技術的特徴＞
（１）複数のビーム群を用いたビームスィーピングのリンケージ
本実施形態に係る基地局１００（例えば、測定用信号送信部１５５）は、ある周波数帯域幅において定義されたビーム群を用いたビームスィーピングの一部を、他の周波数帯域幅において定義されたビーム群を用いたビームスィーピングにより、代理させる。これにより、１つのＢＷＰがアクティブな時間内に、ビームスィーピングを完了することが困難な場合であっても、ＢＷＰを切り替えながら、複数のＢＷＰに渡ってビームスィーピングを行うことが可能となる。
【０１１２】
なお、本実施形態の技術的特徴は、第３の周波数帯域幅において定義される第３のビーム群と、第４の周波数帯域幅において定義される第４のビーム群とを用いて説明される。第３の周波数帯域幅はＢＷＰ＃３とも称され、第３のビーム群はビーム群＃３とも称され、第４の周波数帯域幅はＢＷＰ＃４とも称され、第４のビーム群はビーム群＃４とも称される。ビーム群＃３とビーム群＃４とで、ビームの方向の少なくとも一部が共通するものとする。その場合、ビーム群＃３を用いたビームスィーピングのうち、ビーム群＃４と共通するビームを用いたビームスィーピングが、ビーム群＃４を用いたビームスィーピングにより代理される。
【０１１３】
まず、基地局１００（例えば、測定用信号送信部１５５）は、ビーム群＃３のサブセットと、ビーム群＃３の他のサブセットとビームの方向が共通するビーム群＃４又はそのサブセットとを、対応付ける。かかる対応付けは、リンケージとも称される。そして、基地局１００は、リンケージされたビーム群＃３のサブセットとビーム群＃４又はそのサブセットとを用いて、測定用信号のビームスィーピング送信を行う。
【０１１４】
基地局１００（例えば、通知部１５３）は、共通性情報として、このリンケージに関する情報を端末装置２００に通知する。共通性情報は、ビーム群＃３のサブセットについての測定結果と、ビーム群＃３の他のサブセットとビームの方向が共通するビーム群＃４に属するビームについての測定結果とを、対応付けて報告するよう設定する情報を含む。より詳しくは、共通性情報は、ビーム群＃３のサブセットを用いて送信される測定用信号、及びビーム群＃３の他のサブセットに属するビームと方向が共通するビーム群＃４に属するビームを用いて送信される測定用信号についての測定結果を、ビーム群＃３についての測定結果として報告するよう設定する情報を含む。なお、共通性情報は、リンケージされる、ビーム群＃３のサブセットと、ビーム群＃４又はそのサブセットと、を示す情報が少なくとも含む。
【０１１５】
端末装置２００（例えば、測定報告部２４１）は、ビーム群＃３のサブセットについての測定結果と、ビーム群＃３の他のサブセットに属するビームと方向が共通するビーム群＃４に属するビームについての測定結果とを、対応付けて報告する。より詳しくは、端末装置２００は、ビーム群＃３のサブセットを用いて送信される測定用信号、及びビーム群＃３の他のサブセットに属するビームと方向が共通するビーム群＃４に属するビームを用いて送信される測定用信号についての測定結果を、ビーム群＃３についての測定結果として報告する。
【０１１６】
以下、複数のビーム群を用いたビームスィーピングのリンケージについて、図１４を参照しながら具体的に説明する。
【０１１７】
図１４は、本実施形態に係る複数のビーム群を用いたビームスィーピングのリンケージの一例を説明するための図である。基地局１００は、ＢＷＰ＃３及びＢＷＰ＃４を使用可能であり、端末装置２００が同時に使用可能なＢＷＰは１つであるものとする。また、基地局１００は、ＢＷＰ＃３において定義されたビーム群＃３を送信可能であり、ＢＷＰ＃４において定義されたビーム群＃４を送信可能であるものとする。また、ビーム群＃３及びビーム群＃４は、以下に示すビームをそれぞれ含むものとする。
ビーム群＃３：
ビーム＃１，ビーム＃２，…，ビーム＃１０
ビーム群＃４：
ビーム＃１，ビーム＃２，…，ビーム＃１０
【０１１８】
ここで、インデックスが同一のビーム同士は、指向性が共通するものとする。
【０１１９】
基地局１００は、ビーム群＃３のサブセットと、ビーム群＃３の他のサブセットとビームの方向が共通するビーム群＃４のサブセットとを、リンケージする。例えば、基地局１００は、ビーム群＃３に属するビーム＃１〜＃５と、ビーム群＃４に属するビーム＃６〜＃１０とをリンケージする。次いで、基地局１００は、リンケージした各サブセットについての測定結果を、対応付けて報告するよう設定する情報を端末装置２００に通知する。そして、図１４に示すように、基地局１００は、ＢＷＰ＃３から＃４へ切り替えながら、リンケージされた各サブセットを用いて、測定用信号のビームスィーピング送信を行う。例えば、基地局１００は、ＢＷＰ＃３がアクティブな時間帯に、ビーム群＃３に属するビーム＃１〜＃５を用いて測定用信号をビームスィーピング送信する。次いで、基地局１００は、ＢＷＰ＃４がアクティブな時間帯に、ビーム群＃４に属するビーム＃６〜＃１０を用いて測定用信号をビームスィーピング送信する。
【０１２０】
端末装置２００は、ビーム群＃３に属するビーム＃１〜＃５を用いて送信された測定用信号、及びビーム群＃４に属するビーム＃６〜＃１０を用いて送信された測定用信号について、測定する。そして、端末装置２００は、それらの測定結果を、ビーム群＃３についての測定結果として基地局１００に報告する。例えば、端末装置２００は、これらのうち最もＲＳＲＰが高い１つのビーム、又はＲＳＲＰが高い上位Ｋ個のビームの、ビームＩＤ及びＲＳＲＰの値を、基地局１００に報告する。
【０１２１】
なお、端末装置２００が、最も高い１つのビームを報告する場合、ビームの選択は端末装置２００により実行されるとも言える。他方、端末装置２００が、ＲＳＲＰが高いＫ個のビームを報告する場合、Ｋ個のビームからのビームを選択は、基地局１００により実行される。
【０１２２】
このように、本実施形態においては、ビーム群＃３を用いたビームスィーピングの一部が、ビーム群＃４を用いたビームスィーピングにより代理される。従って、１つのＢＷＰがアクティブな時間内に、ビームスィーピングを完了することが困難な場合であっても、ＢＷＰを切り替えながらシームレスに、ビームスィーピングを行うことが可能となる。
【０１２３】
（２）処理の流れ
以下、図１４を参照しながら説明した具体例におけるビーム選択処理の流れの一例を、図１５を参照しながら説明する。
【０１２４】
図１５は、本実施形態に係るシステム１により実行されるビーム選択処理の流れの一例を示すシーケンスである。図１５に示すように、本シーケンスには、基地局１００及び端末装置２００が関与する。まず、基地局１００は、ビーム群＃３のためのリソースコンフィギュレーション情報を、端末装置２００に送信する（ステップＳ２０２）。また、基地局１００は、ビーム群＃４のためのリソースコンフィギュレーションを、端末装置２００に送信する（ステップＳ２０４）。
【０１２５】
次いで、基地局１００は、ビーム群＃３及び＃４のビームの方向の関係を示す情報を含む第１の共通性情報を端末装置２００に送信する（ステップＳ２０６）。例えば、第１の共通性情報は、ビーム群＃３に属するビームの方向と、ビーム群＃４に属するビームの方向とが、共通することを示す情報を含む。次に、基地局１００は、ビーム群＃３及び＃４を用いたビームスィーピングのリンケージに関する情報を含む第２の共通性情報を端末装置２００に送信する（ステップＳ２０８）。例えば、第２の共通性情報は、ビーム群＃３のサブセットについての測定結果と、ビーム群＃３の他のサブセットとビームの方向が共通するビーム群＃４に属するビームについての測定結果とを、対応付けて報告するよう設定する情報を含む。
【０１２６】
次いで、基地局１００は、ＢＷＰ＃３がアクティブな時間帯に、ビーム群＃３のサブセットを用いて測定用信号をビームスィーピング送信する（ステップＳ２１０）。次いで、基地局１００は、ＢＷＰ＃４がアクティブな時間帯に、ビーム群＃３の他のサブセットとビームの方向が共通するビーム群＃４のサブセットを用いて測定用信号をビームスィーピング送信する（Ｓ２１２）。そして、端末装置２００は、ＢＷＰ＃３及びＢＷＰ＃４においてビームスィーピング送信された測定用信号についての測定結果を、ビーム群＃３についての測定結果として基地局１００に報告する（ステップＳ２１４）。
【０１２７】
（３）変形例
図１６は、本実施形態に係る複数のビーム群を用いたビームスィーピングのリンケージの他の一例を説明するための図である。基地局１００は、ＢＷＰ＃３及びＢＷＰ＃４を使用可能であり、端末装置２００が同時に使用可能なＢＷＰは２つであるものとする。また、基地局１００は、ＢＷＰ＃３において定義されたビーム群＃３を送信可能であり、ＢＷＰ＃４において定義されたビーム群＃４を送信可能であるものとする。また、ビーム群＃３及びビーム群＃４は、以下に示すビームをそれぞれ含むものとする。
ビーム群＃３：
ビーム＃１，ビーム＃２，…，ビーム＃１０
ビーム群＃４：
ビーム＃１，ビーム＃２，…，ビーム＃１０
【０１２８】
ここで、インデックスが同一のビーム同士は、指向性が共通するものとする。
【０１２９】
図１６に示した例では、基地局１００は、リンケージされたビーム群＃３のサブセットとビーム群＃４のサブセットとを用いた、測定用信号のビームスィーピング送信を、同時に行う。即ち、基地局１００は、複数のＢＷＰにおいて同時に、リンケージされたビーム群を用いたビームスィーピングを行ってもよい。
【０１３０】
＜＜５．第３の実施形態＞＞
本実施形態は、基地局１００が複数のアップリンクのビーム群の共通性を評価し、共通すると評価された複数のビーム群の一方を用いたビームスィーピングを端末装置２００が省略する形態である。
【０１３１】
＜５．１．技術的課題＞
上記第１の実施形態及び第２の実施形態では、ダウンリンクで測定用信号がビームスィーピング送信され、ダウンリンクのＴｘビームが選択される場合の、端末装置２００の負担が軽減されていた。同様に、アップリンクで測定用信号がビームスィーピング送信され、アップリンクのＴｘビームが選択される場合の、端末装置２００の負担も軽減されることが望ましい。
【０１３２】
ただし、異なる周波数帯域幅において定義される複数のアップリンクのビーム群同士のビームの方向が共通するか否かは、基地局１００において判断可能であるが、端末装置２００において判断することは困難である。
【０１３３】
＜５．２．技術的特徴＞
（１）アップリンクのビーム群の共通性の評価
基地局１００（例えば、設定部１５１）は、複数の周波数帯域幅の各々において定義されるビーム群の設定を行う。ここでのビーム群とは、アップリンクのＴｘビームである。例えば、基地局１００は、複数の周波数帯域幅の各々において定義される、アップリンクのＴｘビームを複数含むビーム群のための、リソースコンフィギュレーションを行う。
【０１３４】
本実施形態に係る技術的特徴を、以下に説明する具体例を参照しながら説明する。例えば、端末装置２００は、ＢＷＰ＃５（第５の周波数帯域幅に相当）において定義されたビーム群＃５（第５のビーム群に相当）を送信可能であるものとする。また、端末装置２００は、ＢＷＰ＃６（第６の周波数帯域幅に相当）において定義されたビーム群＃６（第６のビーム群に相当）を送信可能であるものとする。そして、ビーム群＃５及びビーム群＃６が、以下に示すビームをそれぞれ含むものとする。
ビーム群＃５：
ビーム＃１，ビーム＃２，…，ビーム＃１０
ビーム群＃６：
ビーム＃１，ビーム＃２，…，ビーム＃１０
【０１３５】
ここで、インデックスが同一のビーム同士は、指向性が共通するものとする。
【０１３６】
基地局１００（例えば、通知部１５３）は、複数の周波数帯域幅の各々において定義される複数のアップリンクのビーム群を用いた測定用信号のビームスィーピング送信を行うよう指示する情報を含む共通性情報を、端末装置２００に通知する。例えば、基地局１００は、ビーム群＃５、及びビーム群＃６を用いた、測定用信号のビームスィーピング送信を行うよう指示する情報を、端末装置２００に通知する。若しくは、例えば、基地局１００は、端末装置２００に対し、ビーム群＃５を用いた測定用信号のビームスィーピング送信を行うよう指示し、次いでビーム群＃６を用いた測定用信号のビームスィーピング送信を行うよう指示する。
【０１３７】
端末装置２００（例えば、測定用信号送信部２４３）は、基地局１００からの通知に基づいて、複数の周波数帯域幅の各々において定義される複数のアップリンクのビーム群を用いた測定用信号のビームスィーピング送信を行う。例えば、端末装置２００は、ビーム群＃５、及びビーム群＃６を用いた、測定用信号のビームスィーピング送信を行う。
【０１３８】
そして、基地局１００（例えば、共通性評価部１５７）は、端末装置２００により複数のアップリンクのビーム群を用いてビームスィーピング送信された測定用信号を測定し、複数のアップリンクのビーム群の共通性を評価する。詳しくは、基地局１００は、測定結果に基づいて、ビーム群＃５に属するビームの方向とビーム群＃６に属するビームの方向とが一致するか否かを判定し、さらに一致するビームを特定する。例えば、上記具体例に関しては、基地局１００は、ビーム群＃５に属するビームの方向と、ビーム群＃６に属するビームの方向との全てが一致すると判定する。
【０１３９】
その後、基地局１００（例えば、通知部１５３）は、評価結果に基づいて、ビームスィーピングの対象とすべきアップリンクのビーム群を指定する情報を通知する。以下、かかる情報の一例を説明する。
【０１４０】
共通性情報は、特定の周波数帯域幅において定義されるアップリンクのビーム群を用いた測定用信号のビームスィーピング送信を行わないよう指示する情報を含む。ここでの特定の周波数帯域幅において定義されるアップリンクのビーム群とは、他のビーム群とビームの方向が一致する、又は他のビーム群のサブセットとビームの方向が一致する、ビーム群である。例えば、上記具体例に関しては、共通性情報は、ビーム群＃６を用いた測定用信号のビームスィーピング送信を行わないよう指示する情報を含み得る。この場合、共通性情報は、ビーム群＃６に関するリソースコンフィギュレーションを削除するよう指示する情報であってもよい。
【０１４１】
若しくは、共通性情報は、特定の周波数帯域幅において定義されるアップリンクのビーム群を用いた測定用信号のビームスィーピング送信を行うよう指示する情報を含む。ここでの特定の周波数帯域幅において定義されるアップリンクのビーム群とは、他のビーム群とビームの方向が一致する、又は当該ビーム群のサブセットが他のビーム群とビームの方向が一致する、ビーム群である。例えば、上記具体例に関しては、共通性情報は、ビーム群＃５を用いた測定用信号のビームスィーピング送信を行うよう指示する情報を含み得る。
【０１４２】
その結果、端末装置２００（例えば、測定用信号送信部２４３）は、複数の周波数帯域幅の各々において定義されるアップリンクのビーム群のうち、一部のアップリンクのビーム群を用いた測定用信号のビームスィーピング送信を行なわず、他のアップリンクのビーム群を用いた測定用信号のビームスィーピング送信を行う。例えば、上記具体例に関しては、端末装置２００は、ビーム群＃６を用いた測定用信号のビームスィーピング送信を行わず、ビーム群＃５を用いた測定用信号のビームスィーピング送信を行う。ビーム群＃５とビーム群＃６とはビームの方向が共通するのだから、基地局１００は、ビーム群＃５についての測定結果を、ビーム群＃６についての測定結果として取り扱うことが可能となる。即ち、基地局１００は、ビーム群＃６についての測定を省略することが可能となる。その上、端末装置２００は、ビーム群＃６を用いた測定用信号のビームスィーピング送信を省略することができる。そのため、基地局１００及び端末装置２００の双方の負担が軽減される。
【０１４３】
（２）処理の流れ
以下、上記説明した具体例におけるビーム選択処理の流れの一例を、図１７を参照しながら説明する。
【０１４４】
図１７は、本実施形態に係るシステム１により実行されるビーム選択処理の流れの一例を示すシーケンスである。図１７に示すように、本シーケンスには、基地局１００及び端末装置２００が関与する。まず、基地局１００は、ビーム群＃５のためのリソースコンフィギュレーション情報を、端末装置２００に送信する（ステップＳ３０２）。また、基地局１００は、ビーム群＃６のためのリソースコンフィギュレーションを、端末装置２００に送信する（ステップＳ３０４）。
【０１４５】
次いで、基地局１００は、ビーム群＃５及び＃６の各々を用いた測定用信号のビームスィーピング送信を行うよう指示する情報を含む共通性情報を、端末装置２００に送信する（ステップＳ３０６）。次に、端末装置２００は、ＢＷＰ＃５において、ビーム群＃５を用いて測定用信号をビームスィーピング送信する（ステップＳ３０８）。また、端末装置２００は、ＢＷＰ＃６において、ビーム群＃６を用いて測定用信号をビームスィーピング送信する（ステップＳ３１０）。
【０１４６】
そして、基地局１００は、ビーム群＃５及び＃６の各々を用いてビームスィーピング送信された測定用信号を測定し、測定結果に基づいて、ビーム群＃５及び＃６の共通性を評価する（ステップＳ３１２）。ここでは、ビーム群＃５及び＃６は、ビームの方向が共通すると判定されたものとする。
【０１４７】
次いで、基地局１００は、ビーム群＃６を用いた測定用信号のビームスィーピング送信を行わないよう指示する情報を含む共通性情報を、端末装置２００に送信する（ステップＳ３１４）。ここでの共通性情報は、ビーム群＃６に関するリソースコンフィギュレーションを削除するよう指示する情報であってもよい。若しくは、ここでの共通性情報は、ビーム群＃５を用いた測定用信号のビームスィーピング送信を行うよう指示する情報を含んでいてもよい。そして、端末装置２００は、かかる共通性情報に基づいて、ＢＷＰ＃５において、ビーム群＃５を用いた測定用信号のビームスィーピング送信を行う（ステップＳ３１６）。
【０１４８】
＜＜６．応用例＞＞
本開示に係る技術は、様々な製品へ応用可能である。
【０１４９】
例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０１５０】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０１５１】
＜６．１．基地局に関する応用例＞
（第１の応用例）
図１８は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１５２】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１８に示したように複数のアンテナ８１０を有し、複数のアンテナ８１０は、例えばｅＮＢ８００が使用する複数の周波数帯域にそれぞれ対応してもよい。なお、図１８にはｅＮＢ８００が複数のアンテナ８１０を有する例を示したが、ｅＮＢ８００は単一のアンテナ８１０を有してもよい。
【０１５３】
基地局装置８２０は、コントローラ８２１、メモリ８２２、ネットワークインタフェース８２３及び無線通信インタフェース８２５を備える。
【０１５４】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１５５】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１５６】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１５７】
無線通信インタフェース８２５は、図１８に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１８に示したように複数のＲＦ回路８２７を含み、複数のＲＦ回路８２７は、例えば複数のアンテナ素子にそれぞれ対応してもよい。なお、図１８には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１５８】
図１８に示したｅＮＢ８００において、図５を参照して説明した制御部１５０に含まれる１つ以上の構成要素（設定部１５１、通知部１５３、測定用信号送信部１５５及び／又は共通性評価部１５７）は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又はコントローラ８２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、無線通信インタフェース８２５（例えば、ＢＢプロセッサ８２６）及び／又はコントローラ８２１が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１５９】
また、図１８に示したｅＮＢ８００において、図５を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。また、記憶部１４０は、メモリ８２２において実装されてもよい。
【０１６０】
（第２の応用例）
図１９は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１６１】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１９に示したように複数のアンテナ８４０を有し、複数のアンテナ８４０は、例えばｅＮＢ８３０が使用する複数の周波数帯域にそれぞれ対応してもよい。なお、図１９にはｅＮＢ８３０が複数のアンテナ８４０を有する例を示したが、ｅＮＢ８３０は単一のアンテナ８４０を有してもよい。
【０１６２】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１８を参照して説明したコントローラ８２１、メモリ８２２及びネットワークインタフェース８２３と同様のものである。
【０１６３】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１８を参照して説明したＢＢプロセッサ８２６と同様のものである。無線通信インタフェース８５５は、図１９に示したように複数のＢＢプロセッサ８５６を含み、複数のＢＢプロセッサ８５６は、例えばｅＮＢ８３０が使用する複数の周波数帯域にそれぞれ対応してもよい。なお、図１９には無線通信インタフェース８５５が複数のＢＢプロセッサ８５６を含む例を示したが、無線通信インタフェース８５５は単一のＢＢプロセッサ８５６を含んでもよい。
【０１６４】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１６５】
また、ＲＲＨ８６０は、接続インタフェース８６１及び無線通信インタフェース８６３を備える。
【０１６６】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１６７】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１９に示したように複数のＲＦ回路８６４を含み、複数のＲＦ回路８６４は、例えば複数のアンテナ素子にそれぞれ対応してもよい。なお、図１９には無線通信インタフェース８６３が複数のＲＦ回路８６４を含む例を示したが、無線通信インタフェース８６３は単一のＲＦ回路８６４を含んでもよい。
【０１６８】
図１９に示したｅＮＢ８３０において、図５を参照して説明した制御部１５０に含まれる１つ以上の構成要素（設定部１５１、通知部１５３、測定用信号送信部１５５及び／又は共通性評価部１５７）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又はコントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１６９】
また、図１９に示したｅＮＢ８３０において、例えば、図５を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。また、記憶部１４０は、メモリ８５２において実装されてもよい。
【０１７０】
＜６．２．端末装置に関する応用例＞
（第１の応用例）
図２０は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０１７１】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０１７２】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０１７３】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２０に示したように複数のＢＢプロセッサ９１３及び複数のＲＦ回路９１４を含んでもよい。なお、図２０には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０１７４】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０１７５】
アンテナスイッチ９１５の各々は、無線通信インタフェース９１２に含まれる複数の回路（例えば、異なる無線通信方式のための回路）の間でアンテナ９１６の接続先を切り替える。
【０１７６】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２０に示したように複数のアンテナ９１６を有してもよい。なお、図２０にはスマートフォン９００が複数のアンテナ９１６を有する例を示したが、スマートフォン９００は単一のアンテナ９１６を有してもよい。
【０１７７】
さらに、スマートフォン９００は、無線通信方式ごとにアンテナ９１６を備えてもよい。その場合に、アンテナスイッチ９１５は、スマートフォン９００の構成から省略されてもよい。
【０１７８】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２０に示したスマートフォン９００の各ブロックへ電力を供給する。補助コントローラ９１９は、例えば、スリープモードにおいて、スマートフォン９００の必要最低限の機能を動作させる。
【０１７９】
図２０に示したスマートフォン９００において、図６を参照して説明した制御部２４０に含まれる１つ以上の構成要素（測定報告部２４１及び／又は測定用信号送信部２４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１８０】
また、図２０に示したスマートフォン９００において、例えば、図６を参照して説明した無線通信部２２０は、無線通信インタフェース９１２（例えば、ＲＦ回路９１４）において実装されてもよい。また、アンテナ部２１０は、アンテナ９１６において実装されてもよい。また、記憶部２３０は、メモリ９０２において実装されてもよい。
【０１８１】
（第２の応用例）
図２１は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０１８２】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０１８３】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０１８４】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０１８５】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２１に示したように複数のＢＢプロセッサ９３４及び複数のＲＦ回路９３５を含んでもよい。なお、図２１には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０１８６】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０１８７】
アンテナスイッチ９３６の各々は、無線通信インタフェース９３３に含まれる複数の回路（例えば、異なる無線通信方式のための回路）の間でアンテナ９３７の接続先を切り替える。
【０１８８】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２１に示したように複数のアンテナ９３７を有してもよい。なお、図２１にはカーナビゲーション装置９２０が複数のアンテナ９３７を有する例を示したが、カーナビゲーション装置９２０は単一のアンテナ９３７を有してもよい。
【０１８９】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０１９０】
バッテリー９３８は、図中に破線で部分的に示した給電ラインを介して、図２１に示したカーナビゲーション装置９２０の各ブロックへ電力を供給する。また、バッテリー９３８は、車両側から給電される電力を蓄積する。
【０１９１】
図２１に示したカーナビゲーション装置９２０において、図６を参照して説明した制御部２４０に含まれる１つ以上の構成要素（測定報告部２４１及び／又は測定用信号送信部２４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０１９２】
また、図２１に示したカーナビゲーション装置９２０において、例えば、図６を参照して説明した無線通信部２２０は、無線通信インタフェース９３３（例えば、ＲＦ回路９３５）において実装されてもよい。また、アンテナ部２１０は、アンテナ９３７において実装されてもよい。また、記憶部２３０は、メモリ９２２において実装されてもよい。
【０１９３】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０１９４】
＜＜７．まとめ＞＞
以上、図１〜図２１を参照しながら、本開示の一実施形態について詳細に説明した。上記説明したように、本実施形態に係る基地局１００は、複数の周波数帯域幅の各々において定義されるビーム群の設定を行い、異なる周波数帯域幅において定義されるビーム群同士の共通性に関する情報を端末装置２００に通知する。端末装置２００は、基地局１００から通知された、ビーム群同士の共通性に関する情報に基づいて、複数のビーム群の間で共通するビームについての測定を省略することが可能となる。例えば、ビーム群＃１又はそのサブセットに属するビームの方向とビーム群＃２に属するビームの方向とが共通するものとする。この場合、端末装置２００は、ビーム群＃１又はそのサブセットを用いてビームスィーピング送信された測定用信号の測定結果を、ビーム群＃２を用いてビームスィーピング送信された測定用信号の測定結果として、基地局１００に報告する。このように、端末装置２００は、共通するビームについての測定を省略することができるので、端末装置２００の負荷が軽減される。即ち、ビーム選択手続きにおける端末装置２００の計算量が削減され、消費電力が削減される。また、端末装置２００のスループットの向上も実現することができる。
【０１９５】
さらには、基地局１００は、複数のビーム群に属するビームのうち、他のビーム群に属するビームと共通するビームを用いた測定用信号の送信を省略してもよい。例えば、ビーム群＃１又はそのサブセットに属するビームの方向とビーム群＃２に属するビームの方向とが共通するものとする。この場合、基地局１００は、ビーム群＃２を用いた測定用信号のビームスィーピング送信を省略してもよい。この場合、ビーム群＃２を用いた測定用信号のビームスィーピング送信のための無線リソースを解放することができ、リソース効率を向上させることが可能となる。
【０１９６】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１９７】
例えば、上記実施形態では、複数の周波数帯域幅が複数のＢＷＰであるものとして主に説明したが、本技術はかかる例に限定されない。例えば、複数の周波数帯域幅は、複数のＣＣであってもよい。つまり、上記各実施形態の説明におけるＢＷＰはＣＣに読み替えられてもよい。
【０１９８】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０１９９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２００】
なお、以下のような構成も本開示の技術的範囲に属する。
（１）
複数の周波数帯域幅の各々において定義されるビーム群の設定を行う設定部と、
異なる前記周波数帯域幅において定義される前記ビーム群同士の共通性に関する情報を端末装置に通知する通知部と、
を備える通信装置。
（２）
前記共通性に関する情報は、複数の前記ビーム群の間でビームの方向に関する特性が共通するか否かを示す情報を含む、前記（１）に記載の通信装置。
（３）
前記共通性に関する情報は、第１の前記周波数帯域幅において定義される第１のビーム群に属するビームの方向と、第２の前記周波数帯域幅において定義される第２のビーム群に属するビームの方向との、少なくとも一部が共通することを示す情報を含む、前記（２）に記載の通信装置。
（４）
前記共通性に関する情報は、第１のビーム群のサブセットに属するビームの方向と第２の前記ビーム群に属するビームの方向とが共通することを示す情報を含む、前記（３）に記載の通信装置。
（５）
前記共通性に関する情報は、第１のビーム群についての測定結果に基づいて、第２のビーム群についての測定結果を報告するよう設定する情報を含む、前記（１）〜（４）のいずれか一項に記載の通信装置。
（６）
前記共通性に関する情報は、前記第１のビーム群及び前記第２のビーム群の各々の測定結果として報告する対象の、前記第１のビーム群に属するビームの範囲を示す情報を含む、前記（５）に記載の通信装置。
（７）
前記第１のビーム群は、複数のサブセットを含み、
前記共通性に関する情報は、前記第１のビーム群及び前記第２のビーム群の各々の測定結果として報告する対象の、前記第１のビーム群のサブセットの組み合わせを示す情報を含む、
前記（５）に記載の通信装置。
（８）
前記通信装置は、前記ビーム群を用いて測定用信号をビームスィーピング送信する測定信号送信部をさらに備える、前記（１）〜（７）のいずれか一項に記載の通信装置。
（９）
前記共通性に関する情報は、第３の前記周波数帯域幅において定義される第３のビーム群のサブセットについての測定結果と、前記第３のビーム群の他のサブセットに属するビームと方向が共通する、第４の前記周波数帯域幅において定義される第４のビーム群に属するビームについての測定結果とを、対応付けて報告するよう設定する情報を含む、前記（８）に記載の通信装置。
（１０）
前記設定部は、複数の前記周波数帯域幅の各々において定義されるアップリンクのビーム群の設定を行い、
前記共通性に関する情報は、複数の前記周波数帯域幅の各々において定義される複数の前記アップリンクのビーム群を用いた測定用信号のビームスィーピング送信を行うよう指示する情報を含む、
前記（１）〜（９）のいずれか一項に記載の通信装置。
（１１）
前記設定部は、複数の前記周波数帯域幅の各々において定義されるアップリンクのビーム群の設定を行い、
前記共通性に関する情報は、特定の前記周波数帯域幅において定義される前記アップリンクのビーム群を用いた測定用信号のビームスィーピング送信を行わないよう指示する情報を含む、
前記（１）〜（１０）のいずれか一項に記載の通信装置。
（１２）
他の通信装置から通知された、複数の周波数帯域幅の各々において定義されるビーム群についての、異なる前記周波数帯域幅において定義される前記ビーム群同士の共通性に関する情報に基づいて、前記他の通信装置により前記ビーム群を用いてビームスィーピング送信された測定用信号を測定し、測定結果を報告する測定報告部、を備える通信装置。
（１３）
前記測定報告部は、第１の前記周波数帯域幅において定義される第１のビーム群についての測定結果を、第２の前記周波数帯域幅において定義される第２のビーム群の測定結果として報告する、前記（１２）に記載の通信装置。
（１４）
前記測定報告部は、前記第１のビーム群のサブセットについての測定結果を、前記第２のビーム群の測定結果として報告する、前記（１３）に記載の通信装置。
（１５）
前記測定報告部は、第３の前記周波数帯域幅において定義される第３のビーム群のサブセットについての測定結果と、前記第３のビーム群の他のサブセットに属するビームと方向が共通する第４の前記周波数帯域幅において定義される第４のビーム群に属するビームについての測定結果とを、対応付けて報告する、前記（１２）〜（１４）のいずれか一項に記載の通信装置。
（１６）
複数の前記周波数帯域幅の各々においてアップリンクのビーム群が定義され、
前記測定報告部は、複数の前記周波数帯域幅の各々において定義されるアップリンクのビーム群のうち、一部の前記アップリンクのビーム群を用いた測定用信号のビームスィーピング送信を行なわず、他の前記アップリンクのビーム群を用いた測定用信号のビームスィーピング送信を行う、
前記（１２）〜（１５）のいずれか一項に記載の通信装置。
（１７）
複数の周波数帯域幅の各々において定義されるビーム群の設定を行うことと、
異なる前記周波数帯域幅において定義される前記ビーム群同士の共通性に関する情報を端末装置に通知することと、
を含む、プロセッサにより実行される通信方法。
（１８）
他の通信装置から通知された、複数の周波数帯域幅の各々において定義されるビーム群についての、異なる前記周波数帯域幅において定義される前記ビーム群同士の共通性に関する情報に基づいて、前記他の通信装置により前記ビーム群を用いてビームスィーピング送信された測定用信号を測定し、測定結果を報告すること、を含む、プロセッサにより実行される通信方法。
（１９）
コンピュータを、
複数の周波数帯域幅の各々において定義されるビーム群の設定を行う設定部と、
異なる前記周波数帯域幅において定義される前記ビーム群同士の共通性に関する情報を端末装置に通知する通知部と、
として機能させるためのプログラムが記録された記録媒体。
（２０）
コンピュータを、
他の通信装置から通知された、複数の周波数帯域幅の各々において定義されるビーム群についての、異なる前記周波数帯域幅において定義される前記ビーム群同士の共通性に関する情報に基づいて、前記他の通信装置により前記ビーム群を用いてビームスィーピング送信された測定用信号を測定し、測定結果を報告する測定報告部、
として機能させるためのプログラムが記録された記録媒体。
【符号の説明】
【０２０１】
１      システム
１１    セル
２０    コアネットワーク
３０    ＰＤＮ
４０    ビーム群
１００    基地局
１１０    アンテナ部
１２０    無線通信部
１３０    ネットワーク通信部
１４０    記憶部
１５０    制御部
１５１    設定部
１５３    通知部
１５５    測定用信号送信部
１５７    共通性評価部
２００    端末装置
２１０    アンテナ部
２２０    無線通信部
２３０    記憶部
２４０    制御部
２４１    測定報告部
２４３    測定用信号送信部
【図１】
2020031645.tif 000004
【図２】
2020031645.tif 000005
【図３】
2020031645.tif 000006
【図４】
2020031645.tif 000007
【図５】
2020031645.tif 000008
【図６】
2020031645.tif 000009
【図７】
2020031645.tif 000010
【図８】
2020031645.tif 000011
【図９】
2020031645.tif 000012
【図１０】
2020031645.tif 000013
【図１１】
2020031645.tif 000014
【図１２】
2020031645.tif 000015
【図１３】
2020031645.tif 000016
【図１４】
2020031645.tif 000017
【図１５】
2020031645.tif 000018
【図１６】
2020031645.tif 000019
【図１７】
2020031645.tif 000020
【図１８】
2020031645.tif 000021
【図１９】
2020031645.tif 000022
【図２０】
2020031645.tif 000023
【図２１】
2020031645.tif 000024
【国際調査報告】
2020031645.tif 000025
2020031645.tif 000026